(57)【特許請求の範囲】
【請求項１】
第１の所定の時間に暗騒音を集音し、さらに第２の所定の時間に音声を集音して音声信号に変換するマイクロホンと、
該マイクロホンにより変換された前記音声信号を増幅するマイクアンプと、
前記音声の入力レベルのピーク値を検出するピーク検出部と、
前記暗騒音の入力レベルの前記第１の所定の時間における平均値と、複数の前記ピーク値の前記第２の所定の時間における平均値とに基づいて前記マイクアンプのゲインを設定するゲイン設定部と、
からなるゲイン自動設定装置。
【請求項２】
前記暗騒音の入力レベルの平均値および前記複数のピーク値の平均値に対応するゲイン特性をあらかじめ記憶保持している記憶部をさらに備え、
前記ゲインは前記ゲイン特性に基づいて設定される請求項１に記載のゲイン自動設定装置。
【請求項３】
前記ゲインは、前記暗騒音の入力レベルが小さい場合に比べて、前記暗騒音の入力レベルが大きい場合に低く設定される請求項２に記載のゲイン自動設定装置。
【請求項４】
前記マイクロホンは、前記第１の所定の時間に前記暗騒音を集音して暗騒音信号に変換した後、前記第２の所定の時間に前記音声を集音して音声信号に変換する請求項１に記載のゲイン自動設定装置。
【請求項５】
前記使用者に音声の入力を促す共に、前記マイクアンプのゲインの設定が終了したことを前記使用者に通知するための通知部をさらに備える請求項１に記載のゲイン自動設定装置。
【請求項６】
前記通知部は、さらに、前記第１の所定の時間または／および前記第２の所定の時間の開始および終了を前記使用者に通知する請求項５に記載のゲイン自動設定装置。
【請求項７】
第１の所定の時間にマイクロホンで暗騒音を集音して暗騒音信号に変換する第１の集音ステップと、
第２の所定の時間にマイクロホンで音声を集音して音声信号に変換する第２の集音ステップと、
前記マイクロホンにより変換された前記音声信号をマイクアンプにより増幅する増幅ステップと、
前記音声の入力レベルのピーク値を検出するピーク検出ステップと、
前記暗騒音の入力レベルの前記第１の所定の時間における平均値と、複数の前記ピーク値の前記第２の所定の時間における平均値とに基づいて前記マイクアンプのゲインを設定するゲイン設定ステップと、
からなるゲイン自動設定方法。
【発明の詳細な説明】
【技術分野】
【０００１】
この発明は、ゲイン自動設定装置およびゲイン自動設定方法に関し、詳しくは、マイクロホンに適用され、暗騒音の大きさに基づいてアンプのゲインの自動設定を行うことができるゲイン自動設定装置およびゲイン自動設定方法に関する。
【背景技術】
【０００２】
ホール、教室、オフィスなどの部屋、屋外などの空間においてマイクロホンに音声を入力し、拡声する場合、使用者の声質には個人差があり、また、使用者の声の大きさ、入力される音楽などの音量は様々であるため、音声の入力レベル又は出力の音量を適切に調整する必要がある。そこで、一般的には、マイクロホンが接続されたマイクアンプなどにおいて手動でゲインを設定することが行われている。また、マイクロホンがワイヤレスマイクロホンである場合、そのワイヤレスマイクロホンからの音声を受信する受信機側でゲインを手動で設定するのが一般的である。
【０００３】
マイクロホンを使用するたびにゲインを手動で調整しなければならないとすると、その作業は煩雑であるし、多くの時間を浪費してしまう。また、上述のホールなど空間においては、通常、マイクロホンに入力すべき使用者の音声や音楽の他に、その空間で鳴っているいわゆる暗騒音が存在する。マイクロホンを使用すると、その暗騒音も音声として入力されてしまうため、マイクロホンのゲイン調整を適切に行うためにはその暗騒音の影響も考慮する必要がある。したがって、マイクロホンのゲインを手動で調整しようとするとある程度の熟練した技術、経験が必要となる。
【０００４】
また、ワイヤレスマイクロホンシステムにおいては、送信機と受信機は離れて設置されていることが通常であるため、使用者自身がゲインの設定を行おうとすると、マイクロホンを使用する場所と受信機が設置されている場所との移動を繰り返さなければならず、迅速に調整が行えないという問題がある。そこで、音量設定を自動的に行うことができる音量自動調整装置が提案されている（特許文献１）。
【先行技術文献】
【特許文献】
【０００５】
【特許文献１】特開平１０―５６３４６号公報
【発明の概要】
【発明が解決しようとする課題】
【０００６】
しかし、特許文献１に記載の音量自動調整装置は、音量を調整するために、放送源からの音声を出力するスピーカと、そのスピーカから出力された音声を集音するためのマイクロホンとを備える必要がある。したがって、特許文献１に記載のゲイン自動設定装置をマイクロホンのゲイン調整に適用しようとすると、部品点数が増加してしまうという問題がある。
【０００７】
また、マイクロホンを用いるホールなどの空間に備え付けられているスピーカを用いようとしても、発明を構成するフィルタ等を備えていないため、音量調整を行うことができないという問題もある。
【０００８】
したがって、この発明の目的は、受信機側ではなく、送信機側であるマイクロホンのみで自動的にゲインの設定を行うことができるゲイン自動設定装置およびゲイン自動設定方法を提供することにある。
【課題を解決するための手段】
【０００９】
上述した課題を解決するために、この発明は、第１の所定の時間に暗騒音を集音し、さらに第２の所定の時間に音声を集音して音声信号に変換するマイクロホンと、マイクロホンにより変換された音声信号を増幅するマイクアンプと、音声の入力レベルのピーク値を検出するピーク検出部と、暗騒音の入力レベルの第１の所定の時間における平均値と、複数のピーク値の第２の所定の時間における平均値とに基づいてマイクアンプのゲインを設定するゲイン設定部とからなるゲイン自動設定装置である。
【００１０】
また、この発明は、第１の所定の時間にマイクロホンで暗騒音を集音して暗騒音信号に変換する第１の集音ステップと、第２の所定の時間にマイクロホンで音声を集音して音声信号に変換する第２の集音ステップと、マイクロホンにより変換された音声信号をマイクアンプにより増幅する増幅ステップと、音声の入力レベルのピーク値を検出するピーク検出ステップと、暗騒音の入力レベルの第１の所定の時間における平均値と、複数のピーク値の第２の所定の時間における平均値とに基づいてマイクアンプのゲインを設定するゲイン設定ステップとからなるゲイン自動設定方法である。
【発明の効果】
【００１１】
この発明によれば、暗騒音と入力音声の大きさに基づいて使用者に煩雑な作業を強いることなく自動的にマイクロホンのゲイン設定を行うことができる。また、スピーカなどのマイクロホン以外の機器を用いることなく、音声の入力をためのマイクロホンのみを用いて自動的にゲイン設定を行うことができる。
【図面の簡単な説明】
【００１２】
【図１】この発明の一実施の形態に係るゲイン自動設定装置を適用したワイヤレスマイクロホンの構成を示すブロック図である。
【図２】ゲイン自動設定装置を適用したワイヤレスマイクロホンによるゲイン自動設定処理の手順を示すフローチャートである。
【図３】ゲイン自動設定装置を適用したワイヤレスマイクロホンによるゲイン自動設定処理の手順を示すフローチャートである。
【図４】ゲイン自動設定装置を適用したワイヤレスマイクロホンによる音量調整の手順を示す概略図である。
【図５】音声入力レベルのピーク値の平均値、ゲイン特性および暗騒音の入力レベルの平均値の関係を示すグラフである。
【発明を実施するための最良の形態】
【００１３】
以下、この発明を実施の形態について説明する。なお、説明は、以下の順序で行う。
＜１．実施の形態＞
＜２．変形例＞
なお、以下に説明する一実施の形態は、この発明の好適な具体例であり、技術的に好ましい種々の限定が付されているが、この発明の範囲は、以下の説明において、特にこの発明を限定する旨の記載がない限り、これらの実施の形態に限定されないものとする。
【００１４】
＜１．実施の形態＞
「ゲイン自動設定装置の構成」
図１は、この発明の一実施の形態によるゲイン自動設定装置の一例の概略的構成を示す図である。本実施の形態では、ゲイン自動設定装置を使用者によって入力された音声を無線通信で受信機に送信するワイヤレスマイクロホン１に適用している。ワイヤレスマイクロホン１は、マイクロホン１０、マイクアンプ１１、Ａ／Ｄ（Analog to Digital）変換部１２、音声処理部１３、制御部１４、記憶部１５、操作部１６、通知部１７、無線通信部１８およびアンテナ１９とから構成されている。図１において、実線は音声信号を示し、点線は制御信号を示す。
【００１５】
なお、以下、ワイヤレスマイクロホン１を使用して音声の入力を行う者を使用者と称する。また、その使用者が声を発することによってワイヤレスマイクロホン１に入力する音声を単に音声と称し、暗騒音と区別する。ただし、ワイヤレスマイクロホン１に入力される音は使用者の声に限られず、楽器の音、再生装置からの出力音声など様々な音声を入力することができる。
【００１６】
マイクロホン１０は、暗騒音および使用者からの音声を入力するためのものであり、マイクロホン１０に入力された音声はアナログ音声信号に変換され、マイクアンプ１１に送られる。マイクアンプ１１は後述するゲイン設定部１４３の演算結果により設定されたゲインに基づいて、マイクロホン１０から送られてきたアナログ音声信号を増幅させてＡ／Ｄ変換部１２に送るためのものである。Ａ／Ｄ変換部１２は、アナログ音声信号をデジタル音声信号に変換するためＡ／Ｄコンバータである。音声処理部１３は、Ａ／Ｄ変換部１２から送られてきた音声信号に対して量子化ビット数の調整、サンプリングレートの調整、の調整などの所定の処理を施すものである。
【００１７】
制御部１４は、例えば、ＣＰＵ（Central Processing Unit）などにより構成されるマイクロコンピュータであり、ワイヤレスマイクロホン１を構成する各部の制御を行うマイクロホン制御部１４１と、音声信号中のピークの検出を行うピーク検出部１４２と、ゲイン自動設定のための所定の演算処理を行ってゲインを設定するゲイン設定部１４３とから構成されている。制御部１４は、マイクアンプ１１に接続され、ゲイン設定部１４３による演算結果に基づいてマイクアンプ１１のゲイン設定の制御を行うための制御信号を送る。ゲイン設定部１４３が行う演算処理の詳細については後述する。
【００１８】
記憶部１５は、ゲイン設定部１４３による演算処理によって算出された暗騒音の入力レベルの平均値、音声信号の入力レベルのピーク値、そのピーク値の平均値などゲイン自動設定に用いる各種の値を記憶保持するためのメモリである。
【００１９】
操作部１６は、制御部１４と接続されており、音声入力を行う使用者がワイヤレスマイクロホン１のオン、オフの切り替え操作を行うためのものである。本実施の形態では操作部１６は、使用者が操作可能なようにワイヤレスマイクロホン１の躯体に設けられ、オン、オフの切り替えが可能なスイッチとして構成されている。
【００２０】
通知部１７は、制御部１４と接続されており、使用者に音声の入力を促したり、使用者に演算処理が終了したことなどを通知するためのものである。本実施の形態では、通知部１７は、発光部がワイヤレスマイクロホン１の躯体から露出するように設けられ、点灯、点滅等することにより使用者に上述の通知を行うＬＥＤ（Light Emitting Diode）で構成されている。
【００２１】
無線通信部１８は、所定の処理を施されて増幅された音声信号をアンテナ１９を介して無線通信で受信機（図示せず。）に送信するためのものである。無線通信の方式としてはＴＤＭＡ（Time Division Multiple Access）方式、Bluetooth（登録商標）、ZigBeeなど特に限定されず様々な方式を用いることができる。
【００２２】
〔ゲイン自動設定装置の動作〕
本実施の形態に係るゲイン自動設定装置を適用したワイヤレスマイクロホン１は上述の構成となっている。次に、図２乃至図５を参照して、ワイヤレスマイクロホン１によるゲイン自動設定処理について説明する。
【００２３】
ゲイン自動設定装置を適用したワイヤレスマイクロホン１によってゲインの自動設定が行われる場合、まず、ステップＳ１で、操作部１６としてのスイッチが使用者によってオンに切り替えられたか否かが判定される。操作部１６のスイッチがオンに切り替えられておらず、オフのままの場合（ステップＳ１のＮｏ）は、ゲインの自動設定は開始されず、処理は終了となる。操作部１６のスイッチがオンに切り替えられた場合（ステップＳ１のＹｅｓ）、処理はステップＳ２に進む。そして、ステップＳ２で、ワイヤレスマイクロホン１の電源がオンとなり、図４Ａに示すように通知部１７としてのＬＥＤが点灯し、使用者にゲイン自動設定処理が開始されたことが通知される。
【００２４】
次に、通知部１７としてのＬＥＤが点灯したことを確認した使用者が、図４Ｂに示すように暗騒音の入力を開始することにより、ステップＳ３における暗騒音の入力が行われる。暗騒音の入力はマイクロホン１０から行われる。ここで、暗騒音とは、複数の音が同時に存在する場合に、ある特定の音に着目したときのそれ以外の音であり、この発明においては、使用者が声を発してワイヤレスマイクロホン１に入力しようとする音声以外の音声を指す。そして、ステップＳ４で、ステップＳ３で入力された暗騒音に対してＡ／Ｄ変換、積算処理などの所定の信号処理が行なわれる。
【００２５】
次に、ステップＳ５で、暗騒音の入力の開始から第１の所定の時間が経過したか否かが判定される。この第１の所定の時間とは暗騒音の測定時間である。第１の所定の時間が経過していないと判定された場合（ステップＳ５のＮｏ）は、処理はステップＳ３に戻り、ステップＳ３乃至ステップＳ５が繰り返され、第１の所定の時間が経過するまで暗騒音の入力が行われる。暗騒音の測定時間である第１の所定の時間は、例えば、１秒に設定される。ただし、第１の所定の時間は１秒に限れられるものではない。例えば、暗騒音の入力レベルにばらつきがあるような場合は、より詳細に暗騒音を測定するために第１の所定の時間を１秒より長く設定してもよい。また、使用者が第１の所定の時間を任意に設定できるようにしてもよい。
【００２６】
このように、ステップＳ２で通知部１７としてのＬＥＤが点灯したらゲイン自動設定処理が開始され、使用者は暗騒音の入力を開始すればよいため、通知部１７のＬＥＤの点灯は使用者に暗騒音の入力を促す通知として機能する。したがって、例えば、第１の所定の時間が経過して、暗騒音の入力がそれ以上必要なくなった場合、図４Ｃに示すように通知部１７のＬＥＤを消灯して、使用者に暗騒音の入力の終了を促すようにしてもよい。
【００２７】
ステップＳ５で第１の所定の時間が経過したと判定された場合（ステップＳ５のＹｅｓ）、処理はステップＳ６に進む。ステップＳ６では、ステップＳ３乃至ステップＳ５を繰り返して入力された暗騒音の入力レベルの第１の所定の時間における平均値（以下、暗騒音平均レベルと称する。）が算出される。そして、その算出された暗騒音平均レベルは記憶部１５に格納される。
【００２８】
次に、ステップＳ７で図４Ｄに示すように使用者による音声の入力が行われる。なお、使用者による音声の入力は上述のステップＳ３で入力された暗騒音が存在する空間内で行われるのが通常であるため、ステップＳ７では、マイクロホン１０には使用者が声を発して入力しようとする音声と暗騒音とが入力されることとなる。図４Ｃに示すように暗騒音の入力を行う第１の所定の時間の終了時に通知部１７のＬＥＤを消灯した場合は、音声の入力を開始するにあたって使用者に音声の入力を促すために、図４Ｄに示すように通知部１７のＬＥＤを再び点灯させるとよい。なお、その際、通知部１７としてのＬＥＤの点灯は暗騒音の入力時の点灯と同じでもよいが、暗騒音の入力時とは異なる色に点灯させるなどして使用者が暗騒音の入力時と区別することができるようにしてもよい。
【００２９】
次に、ステップＳ８で、ピーク検出部１４２により上述のステップＳ７で入力された音声の入力レベルのピーク値（以下、音声ピーク値、と称する。）が検出される。音声ピーク値の検出には公知の技術が任意に採用される。次に、ステップＳ９で、記憶部１５に音声ピーク値がｎ個以上格納されているか否かが判定される。ここで、ｎとは、第２の所定の時間における音声ピーク値の平均値を算出するために用いる音声ピーク値の数である。また、この第２の所定の時間とは、使用者によって入力される音声の測定時間である。記憶部１５に格納された音声ピーク値の数がｎよりも少ない場合（ステップＳ９のＮｏ）、ステップＳ１１およびステップＳ１２は行われず、処理はステップＳ１０に進む。
【００３０】
そして、ステップＳ１０で、ステップＳ８で検出された音声ピーク値が記憶部１５に格納される。なお、ゲイン自動設定処理前に記憶部１５には音声ピーク値が格納されていることはないため、ゲイン自動設定処理の開始後初回のステップＳ９においては、処理は必ずステップＳ１０に進む。
【００３１】
次に、ステップＳ１３は、使用者による音声の入力の開始から第２の所定の時間が経過したか否かが判定される。第２の所定の時間が経過していないと判定された場合（ステップＳ１３のＮｏ）、処理はステップＳ７に戻る。そして、記憶部１５に格納される音声ピーク値の数がｎ個に到達するまでステップＳ７乃至ステップＳ１０およびステップＳ１３を繰り返して、使用者による音声の入力と音声ピーク値の検出および音声ピーク値の格納が行われる。なお、格納された音声ピーク値の数がｎに至るまではステップＳ８で検出された音声ピーク値はすべて随時記憶部１５に格納される。
【００３２】
そして、ステップＳ９で、記憶部１５に音声ピーク値の数がｎ個格納されていると判定された場合、処理はステップＳ１１に進む（ステップＳ９のＹｅｓ）。ステップＳ１１では、ステップＳ８で検出された直近の音声ピーク値（まだ記憶部１５には格納されていないｎ＋１個目の音声ピーク値）が記憶部１５に格納されているｎ個の音声ピーク値のいずれかよりも大きいか否かの判定が行われる。そして、直近の音声ピーク値が記憶部１５に格納されているいずれの音声ピーク値よりも小さいと判定された場合（ステップＳ１１のＮｏ）、ステップＳ１２の処理は行われず、処理はステップＳ１３に進む。
【００３３】
一方、ステップＳ１１において、上述のステップＳ８で検出された直近の音声ピーク値が記憶部１５に格納されているｎ個の音声ピーク値のいずれかよりも大きいと判定された場合（ステップＳ１１のＹｅｓ）は、処理はステップＳ１２に進む。そして、ステップＳ１２で、ｎ個の音声ピーク値のいずれかよりも大きいと判定された直近の音声ピーク値が記憶部１５に格納され、記憶部１５に格納されているｎ個の音声ピーク値の内の最小の音声ピーク値が破棄されることにより、音声ピーク値の入れ替えが行われる。
【００３４】
次に、ステップＳ１３で第２の所定の時間が経過したか否かが判定され、経過していない場合（ステップＳ１３のＮｏ）は、ステップＳ７乃至ステップＳ９およびステップＳ１１乃至ステップＳ１３が繰り返され、第２の所定の時間が経過するまで、使用者による音声の入力、音声ピーク値の検出、比較、入れ替え処理が行われる。
【００３５】
上述のステップＳ８乃至ステップＳ１３の一連の処理によって、最終的には、記憶部１５には第２の所定の時間における複数の音声ピーク値の内、大きい方から順に５つの音声ピーク値が記憶部１５に格納されることとなる。例えば、ｎ＝５と設定されている場合、ステップＳ１１における比較判定は、５個目の音声ピーク値までは行われず、６個目の音声ピーク値から行われることとなる。６個目以降は、新たに入力された音声ピーク値は随時、記憶部１５に保持された５つの音声ピーク値と比較され、直近の音声ピーク値が記憶部１５に保持されている５つの音声ピーク値のいずれかよりも大きい場合は、その直近の音声ピーク値と５つの音声ピーク値の中の最小の音声ピーク値との入れ替えが行われる。この処理を繰り返すことにより、最終的には、図４Ｄのグラフ中の矢印に示すように、第２の所定の時間内における複数個の音声ピーク値のうち、大きい方の値から順に５つの音声ピーク値が記憶部１５に格納されることとなる。すなわち、値の大きい順に５つの音声ピーク値がサンプリングされたということができる。
【００３６】
ステップＳ１３で、第２の所定の時間が経過したと判定された場合（ステップＳ１３のＹｅｓ）、処理はステップＳ１４に進む。そして、ステップＳ１４で、記憶部１５に格納されているｎ個の音声ピーク値の平均値（以下、音声ピーク平均値、と称する。）が算出される。音声ピーク平均値は、例えば、記憶部１５に格納されているｎ個の音声ピーク値の合計を音声ピーク値の数であるｎで割ることにより算出することが可能である。次に、ステップＳ１５で上述のステップＳ６で算出された暗騒音平均レベルと、ステップＳ１４で算出された音声ピーク平均値とに基づいて、設定すべきマイクゲインが求められる。
【００３７】
なお、ステップＳ１４乃至ステップＳ１６における処理を行っている間、通知部１７のＬＥＤを点滅させるなどして、ゲイン自動設定処理の実行中であることを使用者に通知するようにしてもよい。暗騒音の入力および使用者による音声の入力を促す場合に通知部１７のＬＥＤを点灯させていた場合は、点滅させるなどすれば音声入力と処理中とを区別させることができる。
【００３８】
ここで、図５に示すグラフを参照してステップＳ１５におけるゲインの算出について説明する。図５のグラフは、横軸をマイクアンプ１１に対して設定されるゲイン、縦軸を音声ピーク平均値として、音声ピーク平均値に対するゲインの特性と暗騒音平均レベルとの関係を示すものである。ゲイン特性はグラフ中に示すように暗騒音平均レベルの大きさに応じた４つのパターンとして規定されている。特性Ａが暗騒音平均レベルが最小の場合の特性であり、特性Ｂ、特性Ｃ、特性Ｄの順に暗騒音平均レベルは大きくなっていく。このゲイン特性の４つのパターンは、記憶部１５にあらかじめ格納されており、制御部１４によるゲインの算出の際に読み出されて使用される。本実施の形態では、暗騒音平均レベルの大きさに対応して４つの特性に従って、ゲインが設定される。
【００３９】
ゲインを求めるには、まず、ステップＳ６で算出された暗騒音平均レベルが特性Ａ、Ｂ、Ｃ、Ｄのいずれに該当するかを判定する。判定は、例えば、暗騒音平均レベルに対して３つの閾値を設定し、暗騒音平均レベルがそれぞれの閾値以上であるかを判定することにより行うことができる。そして、暗騒音平均レベルが該当する特性Ａ乃至Ｄのいずれかに基づいてゲインが決定される。
【００４０】
暗騒音平均レベルが小さい場合（特性Ａ）は、音声ピーク平均値の低下に比例してゲインは高くなるように設定され、特性Ａは直線的なものとなっている。これは、暗騒音平均レベルが小さい場合には、暗騒音のゲイン調整に対する影響は小さいと考えられるからである。したがって、音声ピーク平均値が高い場合は、ゲインは低く設定され、音声ピーク平均値が低い場合は、ゲインは高く設定される。
【００４１】
特性Ｂ、ＣおよびＤは特性Ａに比べて暗騒音平均レベルが大きい場合である。暗騒音平均レベルが大きい場合、暗騒音のゲイン調整に対する影響は大きい。したがって、暗騒音平均レベルが小さい場合と同様に音声ピーク平均値の低下に比例させてゲインを高く設定すると暗騒音もマイクアンプ１１によって増幅されて、受信機側のスピーカから出力される場合に聞き取りにくい音声となってしまう。そこで、暗騒音平均レベルが大きい場合には、音声ピーク値がある程度高い範囲ではゲインは低く設定され、音声ピーク値が所定の値以下になると、それ以降ゲインは急激に高くなるように設定される。そして、この傾向は暗騒音平均レベルが高くなればなるほど強まるように設定されている。よって、音声ピーク平均値とゲインとの関係は曲線的なものとなっている。
【００４２】
したがって、たとえ、ワイヤレスマイクロホン１を複数回使用して、その度に行ったゲイン自動設定処理において音声ピーク平均値がほぼ一定であったとしても、暗騒音平均レベルが大きい場合は、暗騒音平均レベルが小さい場合と比べてゲインは低く設定される。
【００４３】
なお、特性Ａ、Ｂ、Ｃ、Ｄのいずれの特性も平均値が最大のときにはゲインは最小となり、平均値が最小の場合はゲインが最大となるように設定されている。
【００４４】
このように、使用者によって入力された音声の入力レベルのピーク値の平均を基準としてゲインを設定することにより、大きい音声が入力された場合に音声が歪むことを防止して、音質向上効果を奏することができる。
【００４５】
そして、ステップＳ１６で制御部１４から所定の制御信号がマイクアンプ１１に送られることによってマイクアンプ１１のゲインが設定される。ステップＳ１６におけるゲインの設定が終了したら、ステップＳ１７で図４Ｅに示すように通知部１７としてのＬＥＤを消灯させてゲイン自動設定処理が終了となる。処理を終了する際に、通知部１７のＬＥＤを消灯させることにより、ゲイン自動設定が終了してワイヤレスマイクロホン１が使用可能になったことを使用者に通知することができる。
【００４６】
ゲイン自動設定が終了後、上述の処理によってゲインが設定されたワイヤレスマイクロホン１が使用者によって使用される。使用者がワイヤレスマイクロホン１に音声を入力すると、音声信号は上述の処理によって設定されたゲインにしたがってマイクアンプ１１で増幅される。次に、その増幅された音声信号に対してＡ／Ｄ変換部１２および音声処理部１３によって所定の処理が施され、無線通信部１８およびアンテナ１９を介して受信機に送信される。そして、受信機で所定の処理を施されて、スピーカなどから音声として出力される。
【００４７】
この発明に係るゲイン自動設定装置によって、送信機側であるワイヤレスマイクロホン１のみでマイクアンプ１１のゲインが適切に設定されるため、受信機側で手動でゲインの設定を行う必要がなく、迅速にワイヤレスマイクロホン１の使用を開始することができる。また、暗騒音と、音声信号の音声ピーク平均値とをデジタル値で比較するので、簡易な方法で高精度にマイクのゲインを設定することができる。さらに、ゲインの設定は自動で行われるので、熟練した技術、経験は必要なく、使用者自身がゲイン自動設定を行うことも可能である。
【００４８】
＜２．変形例＞
以上、この発明の実施の形態について具体的に説明したが、この発明は、上述の実施形態に限定されるものではなく、この発明の技術的思想に基づく各種の変形が可能である。例えば、通知部１７は点灯によって使用者に情報を提示するＬＥＤに限らず、ＬＣＤ（Liquid Crystal Display）などのディスプレイを用いてもよい。ディスプレイを用いた場合は、ディスプレイ上に「動作中」、「暗騒音を入力してください。」、「声を入力してください。」などのメッセージを表示して使用者に音声の入力を促すようにしてもよい。また、使用者に対する通知はディスプレイなどによる視覚的な通知に限られず、信号音や音声ガイダンスなど音声による通知でもよい。さらに、ＬＥＤやディスプレイによる視覚的な通知と音による通知を組み合わせて用いてもよい。
【００４９】
操作部１６は、オン、オフの切り替えが可能なスイッチを例に挙げて説明したが、スイッチに限られず、押圧可能なボタンとして構成してもよい。使用者がそのボタンを押圧し続けている期間中に暗騒音、使用者の音声がマイクロホン１０から入力され、使用者がボタンの押下を停止すると音声の入力も停止するようにしてもよい。
【００５０】
音声の入力レベルの平均値の算出に用いる音声ピーク値の数であるｎの値は５を例にして説明したが、５に限られるものではなく、より詳細な音声ピーク平均値を算出する必要がある場合には場合はｎの値を５以上にするとよい。使用者が任意にｎの数を設定することができるようにしてもよい。
【００５１】
また、本実施の形態では、音声ピーク値の内、入力レベルが大きいｎ個の音声ピーク値から音声の入力レベルの平均値を算出したが、音声の入力レベルに対して所定の閾値を設定し、その閾値を超えた複数の音声ピーク値から平均を算出することも可能である。
【００５２】
さらに、本実施の形態では、図５に示すように音声ピーク平均値に対するゲイン特性を４つのパターンを例に挙げて説明したが、ゲイン特性は４つのパターン限られるものではない。より多くのパターンをプリセットとして記憶部１５に格納させておき、より詳細なゲインの設定を行えるようにしてもよい。
【符号の説明】
【００５３】
１・・・・・・・・ワイヤレスマイクロホン
１０・・・・・・・マイクロホン
１１・・・・・・・マイクアンプ
１２・・・・・・・Ａ／Ｄ変換部
１３・・・・・・・音声処理部
１４・・・・・・・制御部
１４１・・・・・・マイクロホン制御部
１４２・・・・・・ピーク検出部
１４３・・・・・・ゲイン設定部
１５・・・・・・・記憶部
１６・・・・・・・操作部
１７・・・・・・・通知部
１８・・・・・・・無線通信部
１９・・・・・・・アンテナ
【図１】
0005477854.tif 000002
【図２】
0005477854.tif 000003
【図３】
0005477854.tif 000004
【図４】
0005477854.tif 000005
【図５】
0005477854.tif 000006